【手続補正書】
【提出日】平成22年7月6日(2010.7.6)
【手続補正１】
【補正対象書類名】特許請求の範囲
【補正対象項目名】全文
【補正方法】変更
【補正の内容】
【特許請求の範囲】
【請求項１】
通信受信機においてダイバーシティ信号をシンボル配列する方法であって、
受信信号に対するダイバーシティサンプルセットを生成するステップと、
前記ダイバーシティサンプルセットに対する２つ以上の相対的シンボル配列を仮定するステップと、
前記仮定された相対的シンボル配列及び多くの候補同期位置に従って相対的シンボル配列及び同期位置に依存する関数を評価することにより、前記ダイバーシティサンプルセットに対する好適な相対的シンボル配列と好適な同期位置とを統合して決定するステップと、
を含むことを特徴とする方法。
【請求項２】
受信信号に対するダイバーシティサンプルセットを生成する前記ステップは、各ダイバーシティサンプルセットが共通サンプリングウィンドウにわたって異なるサンプリング位相で取得されたシンボル分離サンプルセットを含むように、前記受信信号をオーバーサンプリングするステップを含むことを特徴とする請求項１に記載の方法。
【請求項３】
前記ダイバーシティサンプルセットに対する２つ以上の相対的シンボル配列を仮定する前記ステップは、前記ダイバーシティサンプルセットを生成するために使用される既知のオーバーサンプリング位相の順序に対して可能な前記相対的シンボル配列を仮定するステップを含むことを特徴とする請求項２に記載の方法。
【請求項４】
前記通信受信機において実現される単一アンテナ干渉除去（ＳＡＩＣ）処理において前記ダイバーシティサンプルセットを処理するために、前記好適な同期位置及び前記好適な相対的シンボル配列を使用するステップを更に含むことを特徴とする請求項３に記載の方法。
【請求項５】
前記受信信号に関連するマルチパス伝播チャネル遅延の推定に基づいて、前記候補同期位置を決定するステップを更に含むことを特徴とする請求項１に記載の方法。
【請求項６】
前記仮定された相対的シンボル配列及び多くの候補同期位置に従って相対的シンボル配列及び同期位置に依存する関数を評価する前記ステップは、前記仮定された相対的シンボル配列及び前記候補同期位置に依存して既知のトレーニングシーケンスに関する前記ダイバーシティサンプルセットの相関応答を評価するステップを含むことを特徴とする請求項１に記載の方法。
【請求項７】
前記仮定された相対的シンボル配列及び多くの候補同期位置に従って相対的シンボル配列及び同期位置に依存する関数を評価することにより、前記ダイバーシティサンプルセットに対する好適な相対的シンボル配列及び好適な同期位置を統合して決定する前記ステップは、
仮定された各相対的シンボル配列及び各候補同期位置に対して、既知のトレーニングシーケンスに関する受信信号の相関応答を決定するステップと、受信信号の最大相関応答を発生させる仮定された相対的シンボル配列及び候補同期位置の組合せを前記好適な相対的シンボル配列及び前記好適な同期位置として選択するステップと、を含むことを特徴とする請求項１に記載の方法。
【請求項８】
前記関数を受信信号の相関関数として定義するステップを更に含み、前記関数を評価する前記ステップは、定義済み同期ウィンドウにわたって既知のトレーニングシーケンスに関して最大相関応答を発生させる候補同期位置及び仮定された相対的シンボル配列の前記組合せを識別することを含むことを特徴とする請求項１に記載の方法。
【請求項９】
前記仮定された相対的シンボル配列を実現するために必要な場合、前記ダイバーシティサンプルセットが互いに関して１つ以上のシンボル時間分移動されるように、前記同期ウィンドウが公称同期ウィンドウ長より１つ以上のシンボル時間分大きいように定義するステップを更に含むことを特徴とする請求項８に記載の方法。
【請求項１０】
前記通信受信機は、前記受信信号を２つ以上のアンテナで受信するダイバーシティ受信機を具備し、受信信号に対するダイバーシティサンプルセットを生成する前記ステップは、前記２つ以上のアンテナに対するアンテナ別サンプルセットを生成するステップを含むことを特徴とする請求項１に記載の方法。
【請求項１１】
前記通信受信機は単一アンテナ受信機を具備し、受信信号に対するダイバーシティサンプルセットを生成する前記ステップは、前記受信信号に対する１つ以上の同相サンプルセット及び１つ以上の直交サンプルセットを生成するステップを含むことを特徴とする請求項１に記載の方法。
【請求項１２】
前記受信信号に対するダイバーシティサンプルセットを生成する前記ステップは、所望のオーバーサンプリング係数により前記受信信号をオーバーサンプリングすることにより、２つ以上の同相サブチャネル信号及び同数の直交サブチャネル信号を生成するステップを更に含むことを特徴とする請求項１１に記載の方法。
【請求項１３】
前記通信受信機はバースト型受信機を具備し、前記ダイバーシティサンプルセットに対する好適な相対的シンボル配列及び好適な同期位置を統合して決定する前記ステップは、前記仮定された相対的シンボル配列のうち好適な相対的シンボル配列を識別することに関連して、前記受信信号に対する好適なバースト同期位置を統合して決定するステップを含むことを特徴とする請求項１に記載の方法。
【請求項１４】
前記仮定された相対的シンボル配列及び多くの候補同期位置に従って相対的シンボル配列及び同期位置に依存する関数を評価する前記ステップは、受信信号の相関応答関数、最小二乗推定関数、最小予測誤差関数、最尤関数又は最小雑音共分散関数のうちの１つを評価するステップを含み、そのような関数は全て、相対的シンボル配列及び同期位置に直接又は間接的に依存することを特徴とする請求項１に記載の方法。
【請求項１５】
通信受信機においてダイバーシティ信号をシンボル配列するように構成される受信機回路であって、
受信信号に対するダイバーシティサンプルセットを生成し、
前記ダイバーシティサンプルセットに対する２つ以上の相対的シンボル配列を仮定し、
前記仮定された相対的シンボル配列及び多くの候補同期位置に従って相対的シンボル配列及び同期位置に依存する関数を評価することにより、前記ダイバーシティサンプルセットに対する好適な相対的シンボル配列及び好適な同期位置を統合して決定する
ように構成される１つ以上の処理回路を具備することを特徴とする受信機回路。
【請求項１６】
前記受信機回路は、各ダイバーシティサンプルセットが共通サンプリングウィンドウにわたって異なるサンプリング位相で取得されたシンボル分離サンプルセットを含むように受信信号をオーバーサンプリングすることにより、前記受信信号に対するダイバーシティサンプルセットを生成するように構成されることを特徴とする請求項１５に記載の受信機回路。
【請求項１７】
前記受信機回路は、前記ダイバーシティサンプルセットを生成するために使用されるオーバーサンプリング位相の順序に対して可能な前記相対的シンボル配列を仮定することにより、前記ダイバーシティサンプルセットに対する２つ以上の相対的シンボル配列を仮定するように構成されることを特徴とする請求項１６に記載の受信機回路。
【請求項１８】
前記受信機回路は、前記通信受信機において実現される単一アンテナ干渉除去（ＳＡＩＣ）処理において前記ダイバーシティサンプルセットを処理するために、前記好適な同期位置及び前記好適な相対的シンボル配列を示すように構成されることを特徴とする請求項１７に記載の受信機回路。
【請求項１９】
前記受信機回路は、前記受信信号に関連するマルチパス伝播チャネル遅延の推定に基づいて、前記候補同期位置を決定するように構成されることを特徴とする請求項１５に記載の受信機回路。
【請求項２０】
前記受信機回路は、前記仮定された相対的シンボル配列及び前記候補同期位置に依存して既知のトレーニングシーケンスに関する前記ダイバーシティサンプルセットの相関応答を評価することにより、前記仮定された相対的シンボル配列及び多くの候補同期位置に従って相対的シンボル配列及び同期位置に依存する関数を評価するように構成されることを特徴とする請求項１５に記載の受信機回路。
【請求項２１】
前記受信機回路は、仮定された各相対的シンボル配列及び各候補同期位置に対して、既知のトレーニングシーケンスに関する受信信号の相関応答を決定することと、受信信号の最大相関応答を発生させる仮定された相対的シンボル配列及び候補同期位置の組合せを前記好適な相対的シンボル配列及び前記好適な同期位置として選択することとによって、前記仮定された相対的シンボル配列及び多くの候補同期位置に従って相対的シンボル配列及び同期位置に依存する関数を評価することにより、前記ダイバーシティサンプルセットに対する好適な相対的シンボル配列及び好適な同期位置を統合して決定するように構成されることを特徴とする請求項１５に記載の受信機回路。
【請求項２２】
前記受信機回路は、前記関数を受信信号の相関関数として定義し、且つ定義済み同期ウィンドウにわたって既知のトレーニングシーケンスに関して最大相関応答を発生させる候補同期位置及び仮定された相対的シンボル配列の前記組合せを識別することにより前記関数を評価するように構成されることを特徴とする請求項１５に記載の受信機回路。
【請求項２３】
前記受信機回路は、前記仮定された相対的シンボル配列を実現するために必要な場合、前記ダイバーシティサンプルセットが互いに関して１つ以上のシンボル時間分移動されるように、前記前記同期ウィンドウが公称同期ウィンドウ長より１つ以上のシンボル時間分大きいように定義するように構成されることを特徴とする請求項２２に記載の受信機回路。
【請求項２４】
前記受信機回路は、前記受信信号を２つ以上のアンテナで受信するように構成されるダイバーシティ受信機の少なくとも一部を具備し、前記受信機回路は、前記２つ以上のアンテナに対するアンテナ別サンプルセットを生成することにより受信信号に対するダイバーシティサンプルセットを生成するように構成されることを特徴とする請求項１５に記載の受信機回路。
【請求項２５】
前記受信機回路は、単一アンテナ受信機の少なくとも一部を具備し、前記受信機回路は、受信信号に対する１つ以上の同相サンプルセット及び１つ以上の直交サンプルセットを生成することにより前記受信信号に対するダイバーシティサンプルセットを生成するように構成されることを特徴とする請求項１５に記載の受信機回路。
【請求項２６】
前記受信機回路は、所望のオーバーサンプリング係数による前記受信信号のオーバーサンプリングに基づいて、２つ以上の同相サブチャネル信号及び同数の直交サブチャネル信号を更に生成することにより、前記受信信号に対するダイバーシティサンプルセットを生成するように構成されることを特徴とする請求項２５に記載の受信機回路。
【請求項２７】
前記受信機回路は、バースト型受信機の少なくとも一部を具備し、前記受信機回路は、前記仮定された相対的シンボル配列のうち好適な相対的シンボル配列を識別することに関連して、前記受信信号に対する好適なバースト同期位置を統合して決定することにより、前記ダイバーシティサンプルセットに対する好適な相対的シンボル配列及び好適な同期位置を統合して決定するように構成されることを特徴とする請求項１５に記載の受信機回路。
【請求項２８】
前記受信機回路は、受信信号の相関応答関数、最小二乗推定関数、最小予測誤差関数、最尤関数又は最小雑音共分散関数のうちの１つを評価することにより、前記仮定された相対的シンボル配列及び多くの候補同期位置に従って相対的シンボル配列及び同期位置に依存する関数を評価するように構成され、そのような関数は全て、相対的シンボル配列及び同期位置に直接又は間接的に依存することを特徴とする請求項１５に記載の受信機回路。
【請求項２９】
通信受信機と、
前記通信受信機に含まれるか又は関連付けられる、請求項１５乃至２８の何れか一項に記載の受信機回路と、
を具備することを特徴とする無線通信デバイス。